(57)【要約】【課題】本発明は、コルゲートが所望の位置で固定されていることを確認できるプロテクタ及びプロテクタ付ワイヤーハーネスを提供すること【解決手段】蛇腹構造を有するコルゲート２００に挿通されたワイヤーハーネス１００を収容するプロテクタ２は、断面凹状に形成されたプロテクタ本体１０と、蓋部２０とで構成され、プロテクタ本体１０は、ワイヤーハーネス１００を収容するハーネス収容部３０と、ハーネス収容部３０と連通し、ワイヤーハーネス１００が挿通可能な開口部４４が設けられたメイン挿通部４０とで構成され、メイン挿通部４０は、コルゲート２００を固定するメイン側固定用リブ４１と、メイン側固定用リブ４１よりもハーネス収容部３０側に設けられた、コルゲート２００の先端位置を決める位置決め部４２と、メイン側固定用リブ４１と位置決め部４２との間において、メイン挿通部底面４０ｂを貫通するメイン側確認窓４３とが備えられた。【選択図】図１
2019162006.tif 000002
【特許請求の範囲】
【請求項１】
外周方向に隆起する隆起部及び内周方向に凹む溝部が長手方向に沿って交互に所定ピッチで配置された蛇腹構造を有するコルゲートに挿通されたワイヤーハーネスを収容するプロテクタであって、
底面部と両側の側壁部とで断面凹状に形成されたプロテクタ本体と、開口を覆う蓋部とで構成され、
前記プロテクタ本体は、
前記ワイヤーハーネスを収容するハーネス収容部と、
該ハーネス収容部と連通し、前記ワイヤーハーネスが挿通可能な開口部が設けられたハーネス挿通部とで構成され、
該ハーネス挿通部は、
前記開口部を介して挿通する前記コルゲートを固定する本体側コルゲート固定部と、
前記本体側コルゲート固定部よりも前記ハーネス収容部側に設けられた、前記コルゲートの先端位置を決める位置決め部とが備えられ、
前記蓋部には、前記本体側コルゲート固定部と協働して、前記コルゲートを固定する蓋側コルゲート固定部が備えられ、
前記本体側コルゲート固定部と前記位置決め部との間において、前記底面部及び前記蓋部の少なくとも一方を貫通する確認窓が備えられた
プロテクタ。
【請求項２】
前記確認窓のハーネス収容部側端部と前記位置決め部との間隔が、前記所定ピッチ以下で構成された
請求項１に記載のプロテクタ。
【請求項３】
前記本体側コルゲート固定部と前記位置決め部との間隔が、前記所定ピッチの１倍以上３倍以下である
請求項１又は請求項２に記載のプロテクタ。
【請求項４】
前記本体側コルゲート固定部は、
前記所定ピッチを隔てて設けられた複数の本体側リブで構成され、
前記底面部を貫通する前記確認窓の前記開口部側端面が、前記ハーネス収容部側に配置された前記本体側リブと面一となるように設けられた
請求項１乃至請求項３のうちのいずれかに記載のプロテクタ。
【請求項５】
前記蓋側コルゲート固定部は、
前記所定ピッチを隔てて設けられた複数の蓋側リブで構成され、
前記蓋部を貫通する前記確認窓の前記開口部側端面が、前記ハーネス収容部側に配置された前記蓋側リブと面一となるように設けられた
請求項１乃至請求項３のうちのいずれかに記載のプロテクタ。
【請求項６】
前記確認窓の前記長手方向に沿った長さが、前記所定ピッチの１倍以上２倍以下で構成された
請求項１乃至請求項５のうちのいずれかに記載のプロテクタ。
【請求項７】
前記確認窓の前記長手方向と交差する幅方向に沿った長さが、前記底面部を構成する板厚の２倍以上で、前記所定ピッチの１倍以下で構成された
請求項１乃至請求項６のうちのいずれかに記載のプロテクタ。
【請求項８】
前記確認窓の外周側縁部が、外部に向けて突出して構成されている
請求項１乃至請求項７のうちのいずれかに記載のプロテクタ。
【請求項９】
前記本体側コルゲート固定部に対応する位置に、前記蓋部を係止して固定する係止部が備えられた
請求項１乃至請求項８のうちのいずれかに記載のプロテクタ。
【請求項１０】
底面部と両側の側壁部とで断面凹状に形成されたプロテクタ本体及び、開口を覆う蓋部とで構成されたプロテクタと、
外周方向に隆起する隆起部及び内周方向に凹む溝部が長手方向に沿って交互に所定ピッチで配置された蛇腹構造を有するコルゲートに挿通されたワイヤーハーネスとで構成され、
前記プロテクタ本体は、
前記ワイヤーハーネスを収容するハーネス収容部と、
該ハーネス収容部と連通し、前記ワイヤーハーネスが挿通可能な開口部が設けられたハーネス挿通部とで構成され、
該ハーネス挿通部は、
前記開口部を介して挿通する前記コルゲートを固定する本体側コルゲート固定部と、
前記本体側コルゲート固定部よりも前記ハーネス収容部側に設けられた、前記コルゲートの先端位置を決める位置決め部とが備えられ、
前記蓋部には、前記本体側コルゲート固定部と協働して、前記コルゲートを固定する蓋側コルゲート固定部が備えられ、
前記本体側コルゲート固定部と前記位置決め部との間において、前記底面部及び前記蓋部の少なくとも一方を貫通する確認窓とが備えられた
プロテクタ付ワイヤーハーネス。
【発明の詳細な説明】
【技術分野】
【０００１】
この発明は、例えば、車両などに配索されるワイヤーハーネスを保護するプロテクタおよびワイヤーハーネスの一部分を前記プロテクタで保護したプロテクタ付ワイヤーハーネスに関する。
【背景技術】
【０００２】
自動車の操作性や快適性を向上させるために装備されている様々な電気機器は、ワイヤーハーネスを介して電気的に接続されており、信号の送受信や電力の供給が行われている。
【０００３】
このように電気機器を接続するワイヤーハーネスは、他の部材と干渉するおそれのある箇所などをプロテクタに収容し、車両本体に固定することで車両本体に配策されている。この際、前記ワイヤーハーネスをプロテクタの開口部に挿通させるにあたり、前記ワイヤーハーネスを挿通させたコルゲートを前記プロテクタの開口部に固定させる。
【０００４】
例えば、特許文献１に開示されているプロテクタは、ワイヤーハーネスを収容するハーネス収容部と連通するハーネス挿通部に形成された開口部に、ワイヤーハーネスを挿通させたコルゲートを固定する固定部と、コルゲートの先端を当接させて位置決めする位置決め部を備えており、前記コルゲートの先端を前記位置決め部に当接するように前記コルゲートを固定することで前記プロテクタの所望の位置に前記コルゲートを固定できるとされている。
【０００５】
また、前記ハーネス挿通部の底面を貫通する確認窓を前記位置決め部よりも前記ハーネス収容部側に備えられることで、前記コルゲートと前記位置決め部とが当接していることを前記確認窓から確認できる。これにより、例えばプロテクタ付ワイヤーハーネスを輸送した後であっても、前記コルゲートが所望の位置で固定されているかを確認できるとされている。
【０００６】
しかしながら、前記確認窓は、前記位置決め部よりも前記ハーネス収容部側に形成されているため、前記位置決め部に前記確認窓からの視界が遮られ、前記コルゲートの先端が前記位置決め部に当接しているかを確認するのは困難であり、前記コルゲートが所望の位置で固定されていることを確認できないおそれがあった。
【先行技術文献】
【特許文献】
【０００７】
【特許文献１】特開２００４−７２９３２号公報
【発明の概要】
【発明が解決しようとする課題】
【０００８】
本発明は、上述の問題に鑑み、コルゲートが所望の位置で固定されていることを確認できるプロテクタ及びプロテクタ付ワイヤーハーネスを提供することを目的とする。
【課題を解決するための手段】
【０００９】
この発明は、外周方向に隆起する隆起部及び内周方向に凹む溝部が長手方向に沿って交互に所定ピッチで配置された蛇腹構造を有するコルゲートに挿通されたワイヤーハーネスを収容するプロテクタであって、底面部と両側の側壁部とで断面凹状に形成されたプロテクタ本体と、開口を覆う蓋部とで構成され、前記プロテクタ本体は、前記ワイヤーハーネスを収容するハーネス収容部と、該ハーネス収容部と連通し、前記ワイヤーハーネスが挿通可能な開口部が設けられたハーネス挿通部とで構成され、該ハーネス挿通部は、前記開口部を介して挿通する前記コルゲートを固定する本体側コルゲート固定部と、前記本体側コルゲート固定部よりも前記ハーネス収容部側に設けられた、前記コルゲートの先端位置を決める位置決め部とが備えられ、前記蓋部には、前記本体側コルゲート固定部と協働して、前記コルゲートを固定する蓋側コルゲート固定部が備えられ、前記本体側コルゲート固定部と前記位置決め部との間において、前記底面部及び前記蓋部の少なくとも一方を貫通する確認窓が備えられたことを特徴とする。
【００１０】
またこの発明は、底面部と両側の側壁部とで断面凹状に形成されたプロテクタ本体及び、開口を覆う蓋部とで構成されたプロテクタと、外周方向に隆起する隆起部及び内周方向に凹む溝部が長手方向に沿って交互に所定ピッチで配置された蛇腹構造を有するコルゲートに挿通されたワイヤーハーネスとで構成され、前記プロテクタ本体は、前記ワイヤーハーネスを収容するハーネス収容部と、該ハーネス収容部と連通し、前記ワイヤーハーネスが挿通可能な開口部が設けられたハーネス挿通部とで構成され、該ハーネス挿通部は、前記開口部を介して挿通する前記コルゲートを固定する本体側コルゲート固定部と、前記本体側コルゲート固定部よりも前記ハーネス収容部側に設けられた、前記コルゲートの先端位置を決める位置決め部とが備えられ、前記蓋部には、前記本体側コルゲート固定部と協働して、前記コルゲートを固定する蓋側コルゲート固定部が備えられ、前記本体側コルゲート固定部と前記位置決め部との間において、前記底面部及び前記蓋部の少なくとも一方を貫通する確認窓とが備えられたプロテクタ付ワイヤーハーネスであることを特徴とする。
【００１１】
前記側壁部は、前記底面部の両端側において立設された側壁をさす。この側壁部は、例えば前記底面部において長手方向と交差する幅方向の両端から立設している場合や、前記底面部の両端よりも内側において立設されている場合、側面の一方が幅方向の一端で立設されているとともに他方が他端よりも内側において側面の他方が立設している場合を含む。  
【００１２】
前記隆起部と前記溝部とは長手方向に沿って凹凸形状を形成していればよく、その隆起又は凹みの高さについては特に限定されない。すなわち、前記隆起部は前記溝部よりも外周方向に隆起して構成されていればよく、同様に前記溝部は前記隆起部よりも内周方向に対して凹んで構成されていればよい。
【００１３】
前記位置決め部は、前記コルゲートの先端が所定の位置よりも前記ハーネス収容部側に配置されることを防止する構成をさし、例えば、前記コルゲートの先端が当接する構成であってもよく、前記コルゲートの先端と前記位置決め部との距離が前記所定ピッチよりも短くなるように配置された構成であってもよい。
【００１４】
この発明によると、前記コルゲートが所望の位置で固定されていることを確認できる。  
詳述すると、前記確認窓が前記本体側コルゲート固定部と前記位置決め部との間に備えられているため、前記本体側コルゲート固定部に固定された前記コルゲートの先端が前記本体側コルゲート固定部よりも前記ハーネス収容部側に配置されていることを前記確認窓から視認することができる。これにより、前記コルゲートが所望の位置で固定されていることが確認できる。したがって、所定量の前記コルゲートが前記ハーネス挿通部に挿通されていることが確認できる。
【００１５】
またこの発明の態様として、前記確認窓のハーネス収容部側端部と前記位置決め部との間隔が、前記所定ピッチ以下で構成されてもよい。  
この発明によると、前記コルゲートが所望の位置で固定されていることをより確実に確認できる。
【００１６】
詳述すると、前記コルゲートが所望の位置で前記本体側コルゲート固定部に固定されている場合、前記コルゲートの先端側は前記位置決め部と当接又は接近しているため、前記確認窓から前記ハーネス挿通部の内部を視た場合に、前記コルゲートが視認できる。
【００１７】
一方で、前記コルゲートが所望の位置で固定されていない場合、すなわち、前記コルゲートが所望の位置に対して前記開口部側で固定されている場合、前記確認窓からは前記コルゲートの先端やコルゲートに挿通されたワイヤーハーネスが視認できる。
【００１８】
このように、前記確認窓のハーネス収容部側端部と前記位置決め部との間隔が、前記所定ピッチ以下で構成することにより、前記確認窓から見えるコルゲートの部位が明確に異なるため、確実に前記コルゲートの先端が前記位置決め部と当接又は接近した状態であることを確認することができる。すなわち、前記コルゲートが所望の位置で固定されていることを確実に確認できる。
【００１９】
また、前記確認窓のハーネス収容部側端部と前記位置決め部との間隔が、前記所定ピッチ以下であることから、前記コルゲートの先端側の長さを前記視認窓のハーネス収容部側端部から前記位置決め部までの長さ分のみとすることができるため、前記ハーネス挿通部の内部に挿通される前記コルゲートを短くすることができ、軽量化を図ることができる。
【００２０】
またこの発明の態様として、前記本体側コルゲート固定部と前記位置決め部との間隔が、前記所定ピッチの１倍以上３倍以下であってもよい。  
この発明により、前記ハーネス挿通部に固定する前記コルゲートの挿入量を減らすことができる。
【００２１】
詳述すると、前記本体側コルゲート固定部と前記位置決め部との間隔が、前記所定ピッチの１倍以下である場合、前記本体側コルゲート固定部に固定した前記コルゲートの先端部分が前記位置決め部と当接させることができない。すなわち、前記固定部よりも前記ハーネス収容部側に前記コルゲートの先端が配置されることがなく、前記確認窓から前記コルゲートの先端を視認することができない。したがって、前記コルゲートが所望の位置で固定されているかを確認できない。
【００２２】
一方で、前記本体側コルゲート固定部と前記位置決め部との間隔が、前記所定ピッチの３倍よりも長い場合、前記コルゲートの先端を前記位置決め部と当接させることで不要に前記コルゲートが長くなり、前記ハーネス挿通部に固定する前記コルゲートの挿入量が増加する。
【００２３】
これに対して、前記本体側コルゲート固定部と前記位置決め部との間隔が、前記所定ピッチの１倍以上３倍以下とした場合、前記コルゲートの挿通量に応じて前記確認窓から前記コルゲートの先端を視認することができるとともに、前記ハーネス挿通部に固定する前記コルゲートの挿入量を減らすことができる。したがって、確実に前駆コルゲートが所定の位置に固定されていることを確認できるとともに、前記プロテクタに前記ワイヤーハーネスの一部を収容させた前記プロテクタ付ワイヤーハーネスの軽量化を図ることができる。
【００２４】
またこの発明の態様として、前記本体側コルゲート固定部は、前記所定ピッチを隔てて設けられた複数の本体側リブで構成され、前記底面部を貫通する前記確認窓の前記開口部側端面が、前記ハーネス収容部側に配置された前記本体側リブと面一となるように設けられてもよい。
【００２５】
またこの発明の態様として、前記蓋側コルゲート固定部は、前記所定ピッチを隔てて設けられた複数の蓋側リブで構成され、前記蓋部を貫通する前記確認窓の前記開口部側端面が、前記ハーネス収容部側に配置された前記蓋側リブと面一となるように設けられてもよい。
【００２６】
これらの発明により、複数の前記コルゲートの隆起部及び溝部を前記リブで挟み込むことで、確実に前記コルゲートを固定できるとともに、前記確認窓の前記開口部側端面が前記リブと面一となるため、前記リブを前記コルゲートと誤認することを防止できる。
【００２７】
さらに、前記確認窓が前記底面を貫通する場合において、前記底面側が下方となるように前記プロテクタを配置することで、前記貫通窓を水抜きとして用いることができる。  
一方で、前記確認窓が前記底面を貫通する場合において、前記底面側を車体に沿わせて配置することで、前記コルゲートが所望の位置に配置されているかを外部から確実かつ容易に確認できる。
【００２８】
この発明により、複数の前記コルゲートの隆起部及び溝部を前記リブで挟み込むことで、確実に前記コルゲートを固定できるとともに、前記確認窓の前記開口部側端面が前記リブと面一となるため、前記リブを前記コルゲートと誤認することを防止できる。
【００２９】
またこの発明の態様として、前記確認窓の前記長手方向に沿った長さが、前記所定ピッチの１倍以上２倍以下で構成されてもよい。  
この発明により、前記コルゲートが所望の位置で固定されているかをより確実に確認できるとともに、前記確認窓から異物が侵入することを防止できる。
【００３０】
例えば、前記確認窓の前記長手方向に沿った長さが前記所定ピッチの１倍未満である場合、前記確認窓は前記所定ピッチに対応する前記コルゲートの幅よりも短くなるため、前記コルゲートの溝部などを前記視認窓から確認できなくなり、前記コルゲートが所望の位置で固定されているかを確認できない。また、前記確認窓の前記長手方向に沿った長さが前記所定ピッチの２倍よりも長い場合には、前記確認窓から異物が侵入しやすくなる。
【００３１】
これに対して、前記確認窓の前記長手方向に沿った長さが、前記所定ピッチの１倍以上２倍以下で構成されることにより、前記確認窓から前記コルゲートの溝などを視認できるため、前記本体側コルゲート固定部に固定された前記コルゲートが所望の位置で固定されているかを確実に確認できるとともに、前記確認窓から異物が侵入することを防止できる。
【００３２】
またこの発明の態様として、前記確認窓の前記長手方向と交差する幅方向に沿った長さが、前記底面部を構成する板厚の２倍以上で、前記所定ピッチの１倍以下で構成されてもよい。  
この発明により、前記確認窓から異物が侵入することを妨げることができるとともに、前記コルゲートが所望の位置で固定されていることを確実に視認できる。
【００３３】
詳述すると、前記確認窓の前記幅方向に沿った長さが前記底面部を構成する板厚の２倍未満である場合、前記確認窓の視界が前記底面部の板厚により妨げられるため、前記コルゲートを視認することが困難となる。
【００３４】
また、前記確認窓の前記幅方向に沿った長さが前記所定ピッチの１倍以上である場合には、前記確認窓が不要に大きくなるため、ゴミなどの異物が侵入するおそれがあるとともに、前記底面部の強度が低下することとなる。
【００３５】
これに対して、前記確認窓の前記長手方向と交差する幅方向に沿った長さが、前記底面部を構成する板厚の２倍以上で、前記所定ピッチの１倍以下で構成することにより、前記確認窓の視界を確保できるため、確実に前記コルゲートを視認できるとともに、前記確認窓から異物が侵入することを防止できる。
【００３６】
またこの発明の態様として、前記確認窓の外周側縁部が、下方に突出して構成されてもよい。  
この発明により、前記底面部を板厚方向に貫通する前記確認窓の内周面を明確にすることができるため、前記確認窓の内周面を形成する内周側縁部と前記コルゲートと見間違いすることを防止できる。
【００３７】
またこの発明の態様として、前記本体側コルゲート固定部に対応する位置に、前記蓋部を係止して固定する係止部が備えられてもよい。
【００３８】
この発明によると、前記コルゲートに対して外力が作用した場合であっても、前記コルゲートを固定している箇所において前記蓋部と前記プロテクタ本体とが固定されているため、前記コルゲートに作用した外力により前記蓋部が外れることを防止できる。これにより、前記コルゲートが前記本体側コルゲート固定部から移動することを防止できる。
【発明の効果】
【００３９】
この発明により、コルゲートが所望の位置で固定されていることを確認できるプロテクタ及びプロテクタ付ワイヤーハーネスを提供することができる。
【図面の簡単な説明】
【００４０】
【図１】プロテクタ付ワイヤーハーネスの概略斜視図。
【図２】プロテクタ付ワイヤーハーネスの概略分解斜視図。
【図３】ワイヤーハーネスを挿通させたコルゲートの概略底面図。
【図４】プロテクタ本体の説明図。
【図５】メイン挿通部の拡大平面図。
【図６】プロテクタの概略断面図。
【図７】メイン挿通部の拡大概略断面図。
【図８】プロテクタ付ワイヤーハーネスの説明図。
【図９】プロテクタ付ワイヤーハーネスの説明図。
【図１０】プロテクタ付ワイヤーハーネスの概略断面図。
【図１１】プロテクタ付ワイヤーハーネスの説明図。
【図１２】他の実施形態のプロテクタの概略断面図。
【発明を実施するための形態】
【００４１】
この発明の一実施形態を以下図面と共に説明する。  
図１はプロテクタ付ワイヤーハーネス１の概略斜視図を示し、図２はプロテクタ付ワイヤーハーネス１の概略分解斜視図を示し、図３はワイヤーハーネス１００を挿通させたコルゲート２００の先端側の概略底面図を示す。
【００４２】
ここで、コルゲート２００の長手方向を長手方向Ｘとし、コルゲート２００の横幅方向であって長手方向Ｘと直交する方向を幅方向Ｙとする。図１中の長手方向Ｘに沿って左側を＋Ｘ方向とし、右側を−Ｘ方向とするとともに、幅方向Ｙに沿って左側を−Ｙ方向とし、右側を＋Ｙ方向とする。また、図１中において、縦方向を上下方向Ｚとし、図１中の上側を＋Ｚ方向（上方）、下側を−Ｚ方向（下方）とする。  
なお、この軸および方向は、図２乃至図１１においても同様とする。
【００４３】
図４はプロテクタ本体１０の説明図を示し、図５は図４においてα部で囲んだメイン挿通部４０の拡大平面図を示し、図６は図４におけるＡ−Ａ断面に対応したプロテクタ２の概略断面図を示し、図７は図６においてβ部で囲んだメイン挿通部４０の拡大概略断面図を示す。  
図４について詳述すると、図４はプロテクタ本体１０の構成を示した説明図であり、図４（ａ）はプロテクタ本体１０の平面図を示し、図４（ｂ）はプロテクタ本体１０の底面図を示す。
【００４４】
図８及び図９はプロテクタ付ワイヤーハーネス１の説明図を示す。具体的には、図８（ａ）は図４におけるＡ−Ａ断面に対応したプロテクタ付ワイヤーハーネス１の断面図を示し、図８（ｂ）はプロテクタ付ワイヤーハーネス１の底面図を示し、図９（ａ）は図８（ａ）におけるγ部の拡大図を示し、図９（ｂ）は図８（ｂ）におけるδ部の拡大図を示す。  
なお、図８（ａ）及び図９（ａ）においてワイヤーハーネス１００は省略する。
【００４５】
図１０は、コルゲート２００が所望の位置には固定されていない状態において、図４におけるＡ−Ａ断面図に対応する断面図を示し、図１１はコルゲート２００が所望の位置には固定されていない状態の確認方法の説明図を示す。
【００４６】
図１１について詳述すると、図１１（ａ）は、図１０におけるγ部の拡大図、すなわちコルゲート２００が所望の位置に固定されていない場合のγ部の拡大図を示し、図１１（ｂ）は、コルゲート２００が所望の位置に固定されていない場合のδ部の拡大図を示す。  
なお、図１０及び図１１（ａ）においてワイヤーハーネス１００は省略する。
【００４７】
プロテクタ付ワイヤーハーネス１は、図１に示すように、コルゲート２００に挿通させたワイヤーハーネス１００と、ワイヤーハーネス１００を収容して保護するプロテクタ２とで構成される。  
本実施形態においてワイヤーハーネス１００は、図２に示すように、例えば一端をバッテリーなどと接続するメインハーネス１１０と、メインハーネス１１０から分岐した２本のサブハーネス１２０とで構成されている。
【００４８】
コルゲート２００は、内径が挿通させるワイヤーハーネス１００の外径と同径となるように構成された樹脂製の円筒体であり、図３に示すように、外径方向に隆起する隆起部２１０と、内径方向に凹んだ溝部２２０とが長手方向Ｘに沿って交互に所定のピッチで配置された蛇腹構造で構成されており、底面側には長手方向Ｘに沿って所定の幅に切り欠いた切欠き部２３０が形成されている。  
なお、隆起部２１０同士の間隔、すなわち、隆起部２１０の中心から隣接する隆起部２１０の中心までの長さをピッチＬ１とする。
【００４９】
プロテクタ２は、図１及び図２に示すように、上面側が開口したプロテクタ本体１０とプロテクタ本体１０の上面を覆うようにプロテクタ本体１０に係止可能な蓋部２０とで構成されている。
【００５０】
プロテクタ本体１０は、図２及び図４に示すように、底面を形成するプロテクタ本体底面１０ｂと、プロテクタ本体１０の両端から立設するプロテクタ本体側面１０ｓとで断面凹状に形成された収容部であり、幅方向Ｙに沿って形成されたハーネス収容部３０と、ハーネス収容部３０の＋Ｙ側端部と中央部分において＋Ｘ側に突出するメイン挿通部４０と、ハーネス収容部３０の−Ｙ側端部及び中央部分において＋Ｘ側及び−Ｘ側にそれぞれ突出するサブ挿通部５０とで構成され、ハーネス収容部３０、メイン挿通部４０、サブ挿通部５０の所定の箇所に係止枠６０が設けられている。
【００５１】
なお、プロテクタ本体底面１０ｂは後述する収容部底面３０ｂ、メイン挿通部底面４０ｂ、サブ挿通部底面５０ｂで一体に構成され、プロテクタ本体側面１０ｓは後述する収容部側面３０ｓとメイン挿通部側面４０ｓとサブ挿通部側面５０ｓで一体に構成されている。
【００５２】
係止枠６０は、プロテクタ本体１０を形成するプロテクタ本体側面１０ｓ（収容部側面３０ｓ、メイン挿通部側面４０ｓ、サブ挿通部側面５０ｓ）から外側に立設する２本の支持枠６１と、２本の支持枠６１の外側端部同士を連結する板状体である係止面６２とで構成されている。このように構成された係止枠６０は、係止面６２と側壁との間に係止用空間Ｓが形成される。
【００５３】
ハーネス収容部３０は、幅方向Ｙに沿って形成された板状の収容部底面３０ｂと、収容部底面３０ｂの両端部から上方に立設する収容部側面３０ｓとでワイヤーハーネス１００を収容できるように断面凹状に形成されている。
【００５４】
上述のようにハーネス収容部３０の＋Ｙ側端部及び中央部分において＋Ｘ側に突出するメイン挿通部４０は、収容部底面３０ｂと一体に構成されたメイン挿通部底面４０ｂと、メイン挿通部底面４０ｂの両端から上方に立設し、かつ、収容部側面３０ｓと連結するメイン挿通部側面４０ｓとで断面凹状に形成されている。このような断面凹状に形成されたメイン挿通部４０はハーネス収容部３０と連通している。
【００５５】
このメイン挿通部４０には、図４乃至図６に示すように、コルゲート２００を固定するメイン側固定用リブ４１と、コルゲート２００の先端位置を決める位置決め部４２と、メイン側固定用リブ４１と位置決め部４２との間においてメイン挿通部底面４０ｂを貫通したメイン側確認窓４３とが備えられている。
【００５６】
メイン側固定用リブ４１は、メイン挿通部底面４０ｂ及びメイン挿通部側面４０ｓから内側に突出したリブであり、下方側が下方に向けて凸状の円弧で形成されたＵ字形状している。なお、メイン側固定用リブ４１において円弧上に形成された部分の内径は、溝部２２０の外径と同じになるように構成されている。
【００５７】
このように構成されたメイン側固定用リブ４１は、メイン挿通部４０の＋Ｘ側端部から長手方向Ｘに沿って等間隔に５つ配置されている。なお、メイン側固定用リブ４１同士の間隔（長さＩ１）は、隆起部２１０の間隔（ピッチＬ１）と等しくなるように形成されている。  
また、メイン挿通部４０の＋Ｘ側端部に形成されているメイン側固定用リブ４１ａは、メイン挿通部４０と外部とを連通する開口部４４を形成する。
【００５８】
位置決め部４２は、メイン挿通部側面４０ｓから内側に突出したリブであり、メイン側固定用リブ４１よりも＋Ｘ側において対向するように２つ配置されている。  
より詳しくは、位置決め部４２は−Ｘ側に形成されたメイン側固定用リブ４１ｂ（＋Ｘ側端部から数えて５番目のメイン側固定用リブ４１）からの距離（長さＢ２）がピッチＬ１の２．５倍の位置に配置されており、その高さは隆起部２１０の高さの訳０．４５倍となるように形成されている。
【００５９】
なお、本実施形態において長さＢ２は、ピッチＬ１の２．５倍であるが、２．５倍に限定する必要はない。なお、ピッチＬ１の１倍以上３倍以下であることが好ましい。  
また位置決め部４２の高さも隆起部２１０の高さの０．４５倍としているが、同様にこの高さに限定されることはない。なお、隆起部２１０の高さの３分の１から２分の１の間であることが好ましい。
【００６０】
メイン側確認窓４３は、図６に示すように、メイン側固定用リブ４１ｂと位置決め部４２との間においてメイン挿通部底面４０ｂを上下方向に貫通する貫通孔である。  
このメイン側確認窓４３の形状は、長手方向Ｘに沿った長さＩ２がピッチＬ１の１．８倍であるとともに、幅方向Ｙに沿った幅の長さＩ４がメイン挿通部底面４０ｂの板厚の２．６倍（ピッチＬ１の０．９５倍）となるように形成されている。またメイン側確認窓４３の底面側は、下方に突出するとともに、外周側に向けて緩やかな曲面形状に形成された外側縁部４３ｏが構成されている。
【００６１】
なお、メイン側確認窓４３のハーネス収容部３０側端部と位置決め部４２との間隔である長さＩ３が、ピッチＬ１の０．５倍の長さとなるように構成されている。
【００６２】
このような形状を有するメイン側確認窓４３は、メイン挿通部底面４０ｂの幅方向Ｙの中央部分でかつメイン側固定用リブ４１の−Ｘ側に形成されている。換言すると、メイン側確認窓４３はＵ字形状であるメイン側固定用リブ４１ｂの円弧の底部、かつ、＋Ｘ側の内周面がメイン側固定用リブ４１ｂの−Ｘ側の面と面一となるように設けられている。
【００６３】
なお、本実施形態において、メイン側確認窓４３の＋Ｘ側の内周面がメイン側固定用リブ４１ｂの−Ｘ側の面と面一となるように設けられているが、例えば、＋Ｘ側の内周面がメイン側固定用リブ４１ｂの−Ｘ側の面よりも−Ｘ側に設けられてもよい。しかしながら、メイン側確認窓４３から位置決め部４２の内部を確認することから、メイン側確認窓４３は＋Ｘ側の内周面がメイン側固定用リブ４１ｂの−Ｘ側の面と面一となるように設けられることが好ましい。
【００６４】
また、本実施形態において、メイン側確認窓４３の長手方向Ｘの長さＩ２がピッチＬ１の１．８倍としているが、この値に限定されることはない。なお、長さＩ２は、ピッチＬ１の１．０倍以上２．０倍以下であることが好ましい。
【００６５】
同様に、本実施形態において、メイン側確認窓４３の幅方向Ｙの長さＩ４がメイン挿通部底面４０ｂの板厚の２．６倍（ピッチＬ１の０．９５倍）としているが、この値に限定されることはない。なお、長さＩ４は、メイン挿通部底面４０ｂの板厚の２倍以上でピッチＬ１の倍以上１．０倍以下であることが好ましい。
【００６６】
ハーネス収容部３０の−Ｙ側端部及び中央部分において＋Ｘ側及び−Ｘ側に突出するサブ挿通部５０は、収容部底面３０ｂと一体に構成されたサブ挿通部底面５０ｂと、サブ挿通部底面５０ｂの両端から上方に立設し、かつ、収容部側面３０ｓと連結するサブ挿通部側面５０ｓとで断面凹状に形成されている。このような断面凹状に形成されたサブ挿通部５０はハーネス収容部３０と連通している。
【００６７】
このサブ挿通部５０は、メイン挿通部４０と同様に、対応するコルゲート２００を固定するサブ側固定用リブ５１が長手方向Ｘに沿って等間隔で５つ備えられている。また、ハーネス収容部３０の−Ｙ側端部において＋Ｘ側に突出するサブ挿通部５０のサブ挿通部底面５０ｂには、上下方向Ｚにサブ挿通部底面５０ｂを貫通するサブ側確認窓５３が備えられている。
【００６８】
なお、サブ側固定用リブ５１及びサブ側確認窓５３の構成は、対応するコルゲート２００に合わせて大きさ等が異なるもののメイン側固定用リブ４１及びメイン側確認窓４３の構成と同じであるため、説明を省略する。
【００６９】
蓋部２０は、プロテクタ本体１０の底面（収容部底面３０ｂ、メイン挿通部底面４０ｂ、サブ挿通部底面５０ｂ）と対応する形状である上面部２０ｕと、上面部２０ｕの両端から下方に突出する蓋側側面２０ｓとで断面凹状に形成された蓋であり、プロテクタ本体１０の上方側開口を塞いでいる。
【００７０】
この蓋部２０は、メイン側固定用リブ４１及びサブ側固定用リブ５１に対応する位置に蓋側固定リブ２１が設けられるとともに、プロテクタ本体１０に設けられた係止枠６０に対応する位置に蓋側係止部２２が設けられている。
【００７１】
蓋側固定リブ２１は、蓋部２０のメイン側固定用リブ４１及びサブ側固定用リブ５１と対応する位置において、上方向に向けて凸状の円弧で形成されたＵ字状のリブであり、メイン側固定用リブ４１及びサブ側固定用リブ５１と同様に、長手方向Ｘに沿って５つ等間隔で配置されている。なお、蓋側固定リブ２１の内径は、メイン側固定用リブ４１の円弧部分の内径と同様に、溝部２２０の外径と等しくなるように構成されている。
【００７２】
蓋側係止部２２は、支持枠６１と係止面６２とで形成される係止用空間Ｓと略同じ板厚である蓋側側面２０ｓから下方に向けて突出する板状体である係止部支持板２２１と、係止部支持板２２１から外方に向けて突出する係止片２２２とで構成されており、係止部支持板２２１を係止用空間Ｓに挿通させることで、係止片２２２が係止面６２の底面と係止できるように構成されている。これにより、プロテクタ本体１０と蓋部２０とを固定できる。
【００７３】
次に、このように構成されたプロテクタ２に対してワイヤーハーネス１００及びコルゲート２００を組み付けたプロテクタ付ワイヤーハーネス１について、図８乃至図１１に基づいて簡単に説明する。
【００７４】
プロテクタ２に保護されているワイヤーハーネス１００は、メイン挿通部４０及びサブ挿通部５０に対応する位置において対応するコルゲート２００に挿通されている。このワイヤーハーネス１００を挿通させたコルゲート２００は、開口部４４を挿通するようにメイン挿通部４０及びサブ挿通部５０に固定されているため、ワイヤーハーネス１００は開口部４４を挿通することとなる。  
なお、コルゲート２００に挿通されたワイヤーハーネス１００は、ハーネス収容部３０に対応するように変形させてプロテクタ本体１０に収容されている。
【００７５】
このように開口部４４に挿通されているコルゲート２００の固定について詳述すると、コルゲート２００は、図８（ａ）及び図９（ａ）に示すように、コルゲート２００の先端（−Ｘ側端部）が位置決め部４２と当接するとともに、溝部２２０がメイン側固定用リブ４１と嵌合するようにコルゲート２００をメイン挿通部４０に配置されている。
【００７６】
この状態において、プロテクタ本体１０の上方から蓋部２０を組み付けて蓋側係止部２２と係止枠６０とを係止することで、溝部２２０に蓋側固定リブ２１が嵌合されて、メイン側固定用リブ４１と蓋側固定リブ２１とで協働してコルゲート２００がプロテクタ２に固定することとなる。これにより、コルゲート２００が開口部４４を挿通した状態で、ワイヤーハーネス１００をプロテクタ２に収容できる。
【００７７】
このようにプロテクタ２に固定されたコルゲート２００は、プロテクタ本体１０の底面に備えられたメイン側確認窓４３からプロテクタ本体１０の内部を確認することで、所望の位置で固定されているかを確認することができる。
【００７８】
例えば、図８に示すように、コルゲート２００の先端が位置決め部４２と当接するようにコルゲート２００を配置している場合、すなわちコルゲート２００が所望の位置で固定されている場合、メイン側確認窓４３の上方にはコルゲート２００が配置されることとなる。
【００７９】
この場合、メイン側確認窓４３からメイン側固定用リブ４１の内部を見ることで、メイン側確認窓４３の−Ｘ側には、溝部２２０を視認することができる。これにより、コルゲート２００が所望の位置で固定されていることを確認でき、コルゲート２００が所定量だけメイン側固定用リブ４１に挿通されて固定されていることを確認できる（図９（ｂ）参照）。
【００８０】
また、コルゲート２００の底面側に設けられた切欠き部２３０が長手方向Ｘに沿って直線状に並んでいることから、溝部２２０が正しくメイン側固定用リブ４１に嵌合して固定されていることも確認できる（図９（ｂ）参照）。
【００８１】
なお、コルゲート２００の先端を当接させる位置決め部４２の高さは、隆起部２１０の高さの０．４５倍とすることで確実にコルゲート２００の先端をしっかりと当接できるため、コルゲート２００が−Ｘ側に挿入されることを防止できる。
【００８２】
また、位置決め部４２の高さが隆起部２１０の高さの３分の１以下の場合には、コルゲート２００の位置決めを確実に行うことができず、また位置決め部４２の高さが隆起部２１０の高さの２分の１よりも大きい場合には、不要な構成となり質量が重くなる。
【００８３】
また、メイン側固定用リブ４１をメイン挿通部４０の外側端部（＋Ｘ側端部）に設けることにより、コルゲート２００をメイン挿通部４０に確実に固定できるとともに、メイン挿通部４０に挿入するコルゲート２００の長さを縮小することができるため、プロテクタ付ワイヤーハーネス１の軽量化を図ることができる。
【００８４】
一方で、図１０に示すように、コルゲート２００がメイン挿通部４０における所望の位置で固定されていない場合、すなわち、コルゲート２００の先端が位置決め部４２と当接せずに＋Ｘ側に配置された状態でコルゲート２００がメイン側固定用リブ４１に固定されている場合、メイン側確認窓４３の上方にはコルゲート２００の先端部分が配置されることとなる（図１１（ａ）参照）。
【００８５】
詳述すると、コルゲート２００の先端が位置決め部４２と当接していない場合、メイン側確認窓４３からメイン挿通部４０の内部を確認すると、図１１（ａ）及び（ｂ）に示すように、コルゲート２００の先端及びコルゲート２００に挿通されたワイヤーハーネス１００を視認できる。これにより、コルゲート２００が所望の位置に固定されていないことを確認して、所定量のコルゲート２００がメイン側固定用リブ４１に挿通されていないことを認識できる（図１１（ｂ）参照）。
【００８６】
このように、外周方向に隆起する隆起部２１０及び内周方向に凹む溝部２２０が長手方向Ｘに沿って交互にピッチＬ１で配置された蛇腹構造を有するコルゲート２００に挿通されたワイヤーハーネス１００を収容するプロテクタ２は、プロテクタ本体底面１０ｂと両側のプロテクタ本体側面１０ｓとで断面凹状に形成されたプロテクタ本体１０と、開口を覆う蓋部２０とで構成され、プロテクタ本体１０は、ワイヤーハーネス１００を収容するハーネス収容部３０と、ハーネス収容部３０と連通し、ワイヤーハーネス１００が挿通可能な開口部４４が設けられたメイン挿通部４０とで構成され、メイン挿通部４０は、開口部４４を介して挿通するコルゲート２００を固定するメイン側固定用リブ４１と、メイン側固定用リブ４１よりもハーネス収容部３０側に設けられた、コルゲート２００の先端位置を決める位置決め部４２と、メイン側固定用リブ４１と位置決め部４２との間において、メイン挿通部底面４０ｂを貫通するメイン側確認窓４３とが備えられたことにより、コルゲート２００が所望の位置で固定されていることを確認できる。
【００８７】
詳述すると、メイン側確認窓４３がメイン側固定用リブ４１と位置決め部４２との間に備えられているため、メイン側固定用リブ４１に固定されたコルゲート２００の先端がメイン側固定用リブ４１よりもハーネス収容部３０側に配置されていることをメイン側確認窓４３から視認することができる。これにより、コルゲート２００が所望の位置で固定されていることが確認でき、所定量のコルゲート２００がメイン挿通部４０に挿通されていることが確認できる、
【００８８】
また、メイン側確認窓４３のハーネス収容部３０側端部と位置決め部４２との間隔である長さＩ３が、ピッチＬ１以下で構成されることにより、コルゲート２００が所望の位置で固定されていることをより確実に確認できる。
【００８９】
詳述すると、コルゲート２００が所望の位置でメイン側固定用リブ４１に固定されている場合、コルゲート２００の先端側は位置決め部４２と当接又は接近しているため、メイン側確認窓４３からメイン挿通部４０の内部を視た場合に、コルゲート２００が視認できる（図９（ｂ）参照）。
【００９０】
一方で、コルゲート２００が所望の位置で固定されていない場合、すなわち、コルゲート２００が所望の位置に対して開口部４４側で固定されている場合、メイン側確認窓４３からはコルゲート２００の先端やコルゲート２００に挿通されたワイヤーハーネス１００が視認できる（図１１（ｂ）参照）。
【００９１】
このように、メイン側確認窓４３のハーネス収容部３０側端部と位置決め部４２との間隔である長さＩ３が、ピッチＬ１以下で構成することにより、メイン側確認窓４３から視えるコルゲート２００の部位が明確に異なるため、確実にコルゲート２００の先端が位置決め部４２と当接又は接近した状態であることを確認することができる。すなわち、コルゲート２００が所望の位置で固定されていることを確実に確認できる。
【００９２】
さらにまた、メイン側確認窓４３のハーネス収容部３０側端部と位置決め部４２との間隔が、ピッチＬ１以下であることから、コルゲート２００の先端側の長さを視認窓のハーネス収容部３０側端部から位置決め部４２までの長さ分のみとすることができるため、コルゲート２００の長さを短くすることができ、プロテクタ付ワイヤーハーネス１の軽量化を図ることができる。
【００９３】
また、メイン側固定用リブ４１と位置決め部４２との間隔が、ピッチＬ１の１倍以上３倍以下であることにより、メイン挿通部４０に固定するコルゲート２００の挿入量を減らすことができる。
【００９４】
詳述すると、メイン側固定用リブ４１と位置決め部４２との間隔が、ピッチＬ１の１倍以上３倍以下とすることで、メイン側確認窓４３からコルゲート２００の先端を視認することができるとともに、メイン挿通部４０に固定するコルゲート２００の挿入量の減らすことができる。したがって、確実にコルゲート２００が所定の位置に固定されていることを確認できるとともに、プロテクタ２にワイヤーハーネス１００の一部を収容させたプロテクタ付ワイヤーハーネス１の軽量化を図ることができる。
【００９５】
また、メイン側固定用リブ４１は、ピッチＬ１を隔てて設けられた複数で構成され、メイン側確認窓４３の開口部４４側（＋Ｘ側）端面が、ハーネス収容部３０側（−Ｘ側）に配置されたメイン側固定用リブ４１と面一となるように設けられることにより、複数のコルゲート２００の隆起部２１０及び溝部２２０をメイン側固定用リブ４１で挟み込むことができ、確実にコルゲート２００を固定できる。また、メイン側確認窓４３の開口部４４側端面がメイン側固定用リブ４１と面一となるため、メイン側固定用リブ４１をコルゲート２００と見間違えることを防止でき、コルゲート２００が所望の位置で固定されていることを確実に視認できる。
【００９６】
また、メイン側確認窓４３の長手方向Ｘに沿った長さが、ピッチＬ１の１倍以上２倍以下で構成されることにより、コルゲート２００が所望の位置で固定されているかをより確実に確認できるとともに、メイン側確認窓４３から異物が侵入することを防止できる。
【００９７】
詳述すると、メイン側確認窓４３の長手方向Ｘに沿った長さが、ピッチＬ１の１倍以上２倍以下で構成されることにより、メイン側確認窓４３からコルゲート２００の溝などを視認できるため、メイン側固定用リブ４１に固定されたコルゲート２００が所望の位置で固定されているかを確実に確認できるとともに、メイン側確認窓４３から異物が侵入することを防止できる。
【００９８】
また、メイン側確認窓４３の長手方向Ｘと交差する幅方向Ｙに沿った長さＩ４が、メイン挿通部底面４０ｂの板厚の２倍以上で、ピッチＬ１の１倍以下で構成されることにより、メイン側確認窓４３から異物が侵入することを妨げることができるとともに、コルゲート２００が所望の位置で固定されていることを確実に視認できる。
【００９９】
詳述すると、メイン側確認窓４３の長手方向Ｘと交差する幅方向Ｙに沿った長さが、メイン挿通部底面４０ｂを構成する板厚の２倍以上で、ピッチＬ１の１倍以下で構成することにより、メイン側確認窓４３から視た視界を充分に確保できるため、確実にコルゲート２００を視認できるとともに、メイン側確認窓４３から異物の侵入を防ぐことができる。
【０１００】
また、メイン側確認窓４３の外側縁部４３ｏが、下方に突出して構成されることにより、プロテクタ本体底面１０ｂを板厚方向に貫通するメイン側確認窓４３の形状を明確にすることができるため、メイン側確認窓４３の内周面を形成する内周側縁部をコルゲート２００と見間違いすることを防止できる。
【０１０１】
さらにまた、メイン側固定用リブ４１に対応する位置に、蓋部２０を係止して固定する蓋側係止部２２及び係止枠６０が備えられることにより、メイン側固定用リブ４１に対応する位置で蓋部２０が固定されるため、コルゲート２００に対して外力が作用した場合であっても、コルゲート２００がメイン側固定用リブ４１から移動することを防止できる。
【０１０２】
さらにまたメイン側固定用リブ４１を開口部４４側に設けるとともに、蓋部２０を係止して固定する蓋側係止部２２及び係止枠６０をメイン側固定用リブ４１に対応する位置に設けることで、メイン挿通部４０に挿通させるコルゲート２００を短くすることができる。
【０１０３】
これにより、プロテクタ付ワイヤーハーネス１の軽量化を図ることができるとともに、コルゲート２００に不意の外力が作用した場合であっても、外力の影響を軽減できる。これにより、蓋側係止部２２及び係止枠６０が外れることを防止できるため、より確実にコルゲート２００が抜けることを防止できる。
【０１０４】
この発明の構成と、上述の実施形態との対応において、
所定ピッチは、ピッチＬ１に対応し、同様に
底面部は、プロテクタ本体底面１０ｂ及びメイン挿通部底面４０ｂに対応し、
側壁部は、プロテクタ本体側面１０ｓ及びメイン挿通部側面４０ｓに対応し、
ハーネス挿通部は、メイン挿通部４０に対応し、
本体側コルゲート固定部は、メイン側固定用リブ４１に対応し、
蓋側コルゲート固定部は、蓋側固定リブ２１に対応し、
確認窓は、メイン側確認窓４３に対応し、
本体側リブは、メイン側固定用リブ４１に対応し、
蓋側リブは、蓋側固定リブ２１に対応し、
外周側縁部は、外側縁部４３ｏに対応し、
係止部は、係止枠６０及び蓋側係止部２２に対応するが、
この発明は、上述の実施形態の構成のみに限定されるものではなく、多くの実施の形態を得ることができる。
【０１０５】
例えば、本実施形態では、プロテクタ２の断面形状は凹状としているが、この形状に限定されるわけでなく、プロテクタ本体１０（ハーネス収容部３０、メイン挿通部４０、サブ挿通部５０）の底面を円弧状としたＵ字状である場合、蓋部２０を円弧状とした逆Ｕ字状である場合、断面形状が円形状である場合などとしてもよい。
【０１０６】
しかしながらメイン挿通部４０におけるメイン挿通部底面４０ｂは、メイン側確認窓４３からメイン挿通部４０の内部を確認するため、誤認を防止できるように平面状であることが好ましい。
【０１０７】
本実施形態において、メイン側固定用リブ４１は５つが等間隔で配置されているが、この個数に限定はなく、複数の溝部２２０を嵌合できる程度に複数あればよい。なお、メイン側固定用リブ４１を複数設けることによりコルゲート２００が抜けることを防止できる。  
また、メイン側固定用リブ４１は必ずしもリブ形状である必要はなく、鉤爪などのようにコルゲート２００をメイン挿通部４０に係止固定できればどのような形状であってもよい。
【０１０８】
また、プロテクタ本体側面１０ｓは、プロテクタ本体底面１０ｂの両端側において立設された側壁としているが、例えばプロテクタ本体底面１０ｂの両端よりも内側において立設されている構成や、側面の一方が幅方向Ｙの一端で立設されているとともに他端よりも内側において側面の他方が立設している構成としてもよい。
【０１０９】
また、隆起部２１０と溝部２２０とは長手方向Ｘに沿って凹凸形状を形成していればよく、その隆起又は凹み高さについては特に限定されず、隆起部２１０は溝部２２０よりも外周方向に隆起して構成されていればよい。同様に溝部２２０は隆起部２１０よりも内周方向に対して凹んで構成されていればよい。
【０１１０】
また本実施形態において、コルゲート２００の先端が当接する構成であるが、必ずしも当接しなければならないわけではなく、コルゲート２００の先端と位置決め部４２との距離が所定のピッチよりも短くなるように配置された構成であってもよい。このような構成により、位置決め部４２はコルゲート２００の先端の位置が所定の位置よりもハーネス収容部３０側に配置されることを防止できる。
【０１１１】
また本実施形態において、メイン挿通部底面４０ｂにメイン側確認窓４３が設けられているが、蓋部２０にメイン側確認窓４３に対応する確認窓４３が設けられてもよい（図１２参照）し、メイン挿通部底面４０ｂ及び蓋部２０の双方に確認窓４３を対向するように設けてもよい。
【０１１２】
図１２に示すように、蓋部２０はメイン挿通部底面４０ｂにと比べて構造がシンプルであるため、確認窓４３を容易かつ確実に設けることができる。これにより、外部から容易にプロテクタ２の内部を確認することができるため、これによりコルゲート２００が所望の位置で固定されていることを確実に確認できる。
【０１１３】
また、蓋部２０とメイン挿通部底面４０ｂの双方に確認窓４３を設けた場合には、コルゲート２００が所定の位置にない場合に対向する確認窓４３を視認できる。これによりコルゲート２００が所望の位置で固定されていることを確実に確認できる。
【符号の説明】
【０１１４】
１        プロテクタ付ワイヤーハーネス
２        プロテクタ
１０      プロテクタ本体
１０ｂ    プロテクタ本体底面
１０ｓ    プロテクタ本体側面
２０      蓋部
２１      蓋側固定リブ
２２      蓋側係止部
３０      ハーネス収容部
４０      メイン挿通部
４０ｂ    メイン挿通部底面
４０ｓ    メイン挿通部側面
４１      メイン側固定用リブ
４２      位置決め部
４３      メイン側確認窓（確認窓）
４３ｏ    外側縁部
４４      開口部
６０      係止枠
１００    ワイヤーハーネス
２００    コルゲート
２１０    隆起部
２２０    溝部
Ｌ１      ピッチ
【図１】
2019162006.tif 000003
【図２】
2019162006.tif 000004
【図３】
2019162006.tif 000005
【図４】
2019162006.tif 000006
【図５】
2019162006.tif 000007
【図６】
2019162006.tif 000008
【図７】
2019162006.tif 000009
【図８】
2019162006.tif 000010
【図９】
2019162006.tif 000011
【図１０】
2019162006.tif 000012
【図１１】
2019162006.tif 000013
【図１２】
2019162006.tif 000014